(57)【特許請求の範囲】
【請求項１】
コネクタ本体内へ挿入物を挿入することにより揺動される揺動側端子と、
該揺動側端子に揺動時以外は接触するよう配置する受側端子とからなるスイッチ部を備えたコネクタにおいて、
該揺動側端子には、尖状部を有する尖鋭部が形成され、
該尖鋭部の側面には、該挿入物の挿入方向に対して傾斜して形成される傾斜部が形成され、
該コネクタ本体内への該挿入物の挿入により、該挿入物の挿入方向側端部と該傾斜部とが当たり、該揺動側端子が該挿入物により該挿入方向へ押圧されることにより該尖鋭部が揺動されて該挿入物の貫通された開口に係合するものであり、
該尖鋭部の側面に該受側端子が接触して導通する構成としたことを特徴とするコネクタ。
【請求項２】
前記揺動側端子に対向する位置に前記受側端子を設け、前記尖鋭部に対向する位置の該受側端子に嵌合部を設け、該嵌合部と該尖鋭部が嵌合して導通する構成としたことを特徴とする請求項１に記載のコネクタ。
【請求項３】
コネクタ本体内へ挿入物を挿入することにより揺動される揺動側端子と、
該揺動側端子に揺動時以外は接触するよう配置する受側端子とからなるスイッチ部を備えたコネクタにおいて、
該揺動側端子には、尖状部を有する尖鋭部が形成され、
該尖鋭部の側面には、該挿入物の挿入方向に対して傾斜して形成される傾斜部が形成され、
該コネクタ本体内への該挿入物の挿入により、該挿入物の挿入方向側端部と該傾斜部とが当たり、該揺動側端子が該挿入物により該挿入方向へ押圧されることにより該尖鋭部が揺動されて該挿入物の貫通された開口に係合するものであり、
該揺動側端子は基端側を該コネクタ本体に固定し、
該コネクタに挿入される該挿入物に対し、該揺動側端子が該挿入物と摺動接触する部分と、
該揺動側端子が該受側端子と接触して導通する部分とを異なる位置に構成したことを特徴とするコネクタ。
【請求項４】
前記尖鋭部より離れた位置に前記揺動側端子と前記受側端子の接触導通部を構成したことを特徴とする請求項３に記載のコネクタ。
【請求項５】
前記尖鋭部近傍の上下の位置に屈曲部を設け、前記受側端子との接触導通部を構成したことを特徴とする請求項３に記載のコネクタ。
【請求項６】
前記揺動側端子の、前記挿入物と摺動接触する部分のみを非導電体で構成したことを特徴とする請求項３に記載のコネクタ。
【請求項７】
請求項１から請求項６のいずれか一項に記載のコネクタを有することを特徴とする装置。
【請求項８】
請求項１から請求項６のいずれか一項に記載のコネクタに挿入される前記挿入物であることを特徴とするバイオセンサ。
【発明の詳細な説明】
【技術分野】
【０００１】
本発明は、コネクタ内に互いに接触する端子を設け、コネクタへ挿入物を挿入したときに、端子が接触或いは非接触となるように構成したスイッチ構造を具備したコネクタに関する。
具体的には、コネクタ内に複数接触する端子を設けてスイッチ部を構成し、コネクタに挿入される挿入物により該スイッチ部がＯＮ・ＯＦＦされることを利用して、コネクタに挿入される挿入物を識別するように構成したスイッチ構造において、接触部に異物等が存在して接触不良等が生じないようにするコネクタの技術に関する。
【背景技術】
【０００２】
従来、電子部品や電気機器同士を接続するコネクタ等にスイッチ構造が設けられることがある。このスイッチ構造は、コネクタのモールド内に二つのスイッチ端子を短絡（接触）して設け、接続する相手側の電子部品や電気機器のコネクタ、即ち、挿入物が挿入される側のコネクタのモールド内に挿入されると、その挿入物により端子同士の接触部、即ち、短絡部が離れ（開放され）たり、或いは、接触したりする構造となっている。
【０００３】
上記スイッチの構造と作動原理と、そのスイッチ構造を使った従来例としては、次のような従来技術が存在する。
測定器のコネクタとして、日本特公平８−１０２０８号公報や、日本特開平１０−３３２６２６号公報に記載のような技術が存在するのである。
【０００４】
次に図１０・図１１・図１２・図１３において、従来技術のコネクタの端子同士の接触部について説明する。ここで、図１０は、従来のコネクタ３と、該コネクタ３に対して挿入する挿入物２の状況を示す斜視図、図１１は、従来の挿入物２と揺動側端子１・１１と、揺動側端子１・１１が接触する端子プレート（受側端子）４の重合状態を示す図面、図１２は、従来のコネクタ３と揺動側端子１と、挿入物２に開口した嵌合開口２ａとの関係位置を示す側面断面図、図１３は、従来の構造において挿入物２をコネクタ３内に挿入した状態を示す図面である。
【０００５】
コネクタ３には挿入物２を挿入するためのコネクタ挿入穴３ａが設けられ、該コネクタ挿入穴３ａの内部において、揺動側端子１・１１が平行に突出され、該揺動側端子１・１１の先端には尖鋭部１ａ・１１ａが下方に延出して設けられ、該揺動側端子１・１１の下方には端子プレート４が配置されて、通常時は尖鋭部１ａ・１１ａの下端と端子プレート４上面が接触して導通している。また、前記挿入物２には嵌合開口２ａが設けられて、挿入物２の種類や挿入物２に接続される機器等を識別したりできるようにしている。
【０００６】
そして、従来技術では、前記揺動側端子１・１１の尖鋭部１ａ・１１ａが端子プレート４の上面において接触状態となっており、挿入物２がコネクタ挿入穴３ａより挿入されると、図１３の如く、該揺動側端子１・１１は先端部より傾斜面に沿って持ち上げられるのである。これにより、いったん揺動側端子１・１１と端子プレート４との接触状態は断絶状態となる。更に挿入物２をコネクタ挿入穴３ａ内に押し込むと、揺動側端子１・１１の摺動尖鋭部１ａ・１１ａが、挿入物２の端子嵌合開口２ａ内に嵌合して落下し、再度尖鋭部１ａ・１１ａと端子プレート４との接触状態が発生するのである。
【特許文献１】日本特公平８−１０２０８号公報
【特許文献２】日本特開平１０−３３２６２６号公報
【０００７】
しかし、このような従来技術の場合には、コネクタ３の中で、揺動側端子１（１１）の尖鋭部１ａ（１１ａ）と挿入物２が摺動接触する位置、及び、揺動側端子１の尖鋭部１ａと端子プレート４の上面に接触する位置は略同一の位置にある為に、挿入物２と尖鋭部１ａとの接触による削りかすや、挿入物２上に付着した異物等が揺動側端子１の尖鋭部１ａに付着し、尖鋭部１ａと端子プレート４との間に挟まり、コネクタ３に挿入物２を挿入したときに不導通が生じることがあったのである。
また、外部に発生した高電圧の静電気が挿入物２を挿入した際に、挿入物２を媒体として揺動側端子１（１１）に流れて、高電圧によりコネクタ３側に接続される電気機器を破損してしまうおそれがあったのである。
本発明は、このような従来技術の不具合を解消するものである。
【発明の開示】
【発明が解決しようとする課題】
【０００８】
本発明が解決しようとする課題は、コネクタの中で、揺動側端子の尖鋭部と挿入物との接触による削りかすや挿入物上に付着した異物等が、揺動側端子の尖鋭部に付着して不導通が生じる点である。
【課題を解決するための手段】
【０００９】
本発明のコネクタは、コネクタ本体内へ挿入物を挿入することにより揺動される揺動側端子と、該揺動側端子に揺動時以外は接触するよう配置する受側端子とからなるスイッチ部を備えたコネクタにおいて、該揺動側端子には、尖状部を有する尖鋭部が形成され、該尖鋭部の側面には、該挿入物の挿入方向に対して傾斜して形成される傾斜部が形成され、該コネクタ本体内への該挿入物の挿入により、該挿入物の挿入方向側端部と該傾斜部とが当たり、該揺動側端子が該挿入物により該挿入方向へ押圧されることにより該尖鋭部が揺動されて該挿入物の貫通された開口に係合するものであり、該尖鋭部の側面に該受側端子が接触して導通する構成とした。
【００１０】
本発明のコネクタは、前記揺動側端子に対向する位置に前記受側端子を設け、前記尖鋭部に対向する位置の該受側端子に嵌合部を設け、該嵌合部と該尖鋭部が嵌合して導通する構成とした。
【００１１】
本発明のコネクタは、コネクタ本体内へ挿入物を挿入することにより揺動される揺動側端子と、該揺動側端子に揺動時以外は接触するよう配置する受側端子とからなるスイッチ部を備えたコネクタにおいて、該揺動側端子には、尖状部を有する尖鋭部が形成され、該尖鋭部の側面には、該挿入物の挿入方向に対して傾斜して形成される傾斜部が形成され、該コネクタ本体内への該挿入物の挿入により、該挿入物の挿入方向側端部と該傾斜部とが当たり、該揺動側端子が該挿入物により該挿入方向へ押圧されることにより該尖鋭部が揺動されて該挿入物の貫通された開口に係合するものであり、該揺動側端子は基端側を該コネクタ本体に固定し、該コネクタに挿入される該挿入物に対し、該揺動側端子が該挿入物と摺動接触する部分と、該揺動側端子が該受側端子と接触して導通する部分とを異なる位置に構成した。
【００１２】
本発明のコネクタは、前記尖鋭部より離れた位置に揺動側端子と受側端子の接触導通部を構成した。
【００１３】
本発明のコネクタは、前記尖鋭部近傍の上下の位置に屈曲部を設け、受側端子との接触導通部を構成した。
【００１４】
本発明のコネクタは、前記揺動側端子の挿入物と摺動接触する部分のみを非導電体で構成した。
【００１５】
また、本発明の装置は、請求項１から請求項６のいずれか一項に記載のコネクタを有する構成とした。
【００１６】
また、本発明のバイオセンサは、請求項１から請求項６のいずれか一項に記載のコネクタに挿入される挿入物である構成とした。
【発明の効果】
【００１７】
本発明は以上の如く構成したので、次のような効果を奏するものである。
すなわち、本発明の、コネクタ本体内に挿入物を挿入することにより揺動される揺動側端子と、該揺動側端子に接触して配置する受側端子とからなるスイッチ部を備えたコネクタにおいて、前記揺動側端子の側に尖鋭部を形成し、該尖鋭部の側面に受側端子が接触して導通する構成としたので、尖鋭部の側面には異物等が堆積することがなく、接触部を常時きれいに保つことができて、接触不良を防止し、導通を確実にできる。
また、挿入物の挿入時において、揺動側端子の尖鋭部の位置に嵌合開口が開口されていない場合、尖鋭部は挿入物上に持ち上げられたままとなり、受側端子と接触しない位置に保たれ、導通しない。つまりスイッチ部はＯＦＦとなる。換言すれば、予め設定された（規格化された）開口を有さない挿入物以外の物が挿入された場合、スイッチ部がＯＮとなることを防止することができる。また、揺動側端子は挿入物の挿入口の開口に係合するので、接触不良を防止し、導通を確実にできる。また、挿入物が誤ってコネクタ本体内から脱落することを防止することができる。
【００１８】
本発明のコネクタにおいては、前記揺動側端子に対向する位置に受側端子を設け、該揺動側端子の尖鋭部を尖状に構成し、該尖鋭部に対向する位置の受側端子に嵌合部を設け、該嵌合部と尖鋭部が嵌合して導通する構成としたので、異物が尖鋭部に付着しても、嵌合部である嵌合孔に挿入したときに、該嵌合孔から異物等が落下して、導通を確実にできる。
【００１９】
また、本発明の、コネクタ本体内に挿入物を挿入することにより揺動される揺動側端子と、該揺動側端子に接触して配置する受側端子とからなるスイッチ部を備えたコネクタにおいて、コネクタに挿入される挿入物に対し、揺動側端子が挿入物と摺動接触する部分と、揺動側端子が受側端子と接触して導通する部分とを異なる位置に構成したので、挿入物と接触摺動する部分で発生する異物等が接触して導通する部分に付着したり、堆積したりすることがなくなり、安定して揺動側端子と受側端子の接触導通が得られることとなり、スイッチ部の品質の向上が図れる。
挿入物の挿入時において、揺動側端子の尖鋭部の位置に嵌合開口が開口されていない場合、尖鋭部は挿入物上に持ち上げられたままとなり、受側端子と接触しない位置に保たれ、導通しない。つまりスイッチ部はＯＦＦとなる。換言すれば、予め設定された（規格化された）開口を有さない挿入物以外の物が挿入された場合、スイッチ部がＯＮとなることを防止することができる。また、揺動側端子は挿入物の挿入口の開口に係合するので、接触不良を防止し、導通を確実にできる。また、挿入物が誤ってコネクタ本体内から脱落することを防止することができる。
【００２０】
本発明のコネクタにおいては、前記揺動側端子に尖鋭部を形成し、該尖鋭部より離れた位置に揺動側端子と受側端子の接触導通部を構成したので、挿入物と接触部が離れた位置となり、導通動作に対して、挿入物と干渉することがなく、確実に接触して導通させることができる。
【００２１】
本発明のコネクタにおいては、前記揺動側端子に尖鋭部を形成し、該尖鋭部近傍の上下の位置に、受側端子との接触導通部を構成したので、尖鋭部の挿入物の挿入による上下移動が、そのまま、接触導通部の上下移動の幅となって伝達されるので、接触導通部の移動幅を大きくとることができ、スイッチのＯＮ−ＯＦＦ精度を向上させることが出来るのである。
【００２２】
本発明のコネクタにおいては、前記揺動側端子の挿入物と摺動接触する部分のみを非導電体で構成したので、揺動側端子または受側端子に接続される電気機器に高電圧がかかることがなく、静電気による破損等を防止できる。
【００２３】
本発明の装置においては、前記コネクタを使用するものであり、該装置は該コネクタの有する効果を得ることができる。
【００２４】
本発明のバイオセンサにおいては、前記コネクタに挿入されるものであるので、該コネクタは該バイオセンサによって効果を得ることができる。
【図面の簡単な説明】
【００２５】
【図１】本発明のスイッチ構造を適用する実施例のブロック図。
【図２】本発明のスイッチ構造を適用する他の実施例を示す図面。
【図３】簡易血糖値測定装置において、本発明のスイッチ構造を使用した状態を示した図面。
【図４】図３の簡易血糖値測定装置に挿入する挿入物としてのバイオセンサ２３の図面。
【図５】本発明のスイッチ構造について実施例を示す図面。
【図６】本発明のスイッチ構造の他の実施例を示す図面。
【図７】揺動側端子の尖鋭部を接触導通部から離れた位置に配置した実施例を示す図面。
【図８】尖鋭部の部分を非導電体に構成した実施例の図面。
【図９】尖鋭部の他の構造の実施例の図面。
【図１０】従来のコネクタ３と、該コネクタ３に対して挿入する挿入物２の状況を示す斜視図。
【図１１】従来の挿入物２と揺動側端子１・１１と、揺動側端子１が接触する端子プレート４の重合状態を示す図面。
【図１２】従来のコネクタ３と揺動側端子１と、挿入物２に開口した端子嵌合開口２ａとの関係位置を示す側面断面図。
【図１３】従来の構造において挿入物２をコネクタ３内に挿入した状態を示す図面。
【図１４】本発明のスイッチ構造を適用する他の実施例を示す図面。
【符号の説明】
【００２６】
２０・２１・２３・５３  挿入物
３３・３４  コネクタ
５１・５４・５７・６０  揺動側端子
５１ａ・５４ａ・６０ａ  尖鋭部
５２・５５・５６・６１  受側端子
５６ａ  嵌合部
【発明を実施するための最良の形態】
【００２７】
次に本発明の実施の形態を説明する。
図１は、本発明のスイッチ構造を適用する実施例のブロック図、図２は、本発明のスイッチ構造を適用する他の実施例を示す図面である。
図１における実施例は、本発明のスイッチ構造を備えるコネクタが玩具等に適用され、中央演算装置（ＣＰＵまたは制御部）３０に、表示装置（ＬＣＤ）３１と電源３２と、コネクタ３３に設けた揺動側端子４１ａ・４１ｂ・・・とプレートより構成した受側端子４２が接続されている。
前記揺動側端子４１ａ・４１ｂ・・・と受側端子４２はコネクタ３３の本体内に収納されて両者は接触している。前記コネクタ３３の本体にはコネクタ挿入穴３３ａが開口され、該コネクタ挿入穴３３ａにチップにより構成された挿入物２０を挿入できるようにしている。該挿入物２０は数種類用意され、その種類ごとに異なる形状または方向または異なる孔数の嵌合開口２０ａ・２０ｂ・・・が挿入物２０に開口されている。
【００２８】
このような構成において、コネクタ３３のコネクタ挿入穴３３ａにある一つの挿入物２０を挿入すると、揺動側端子４１ａ・４１ｂ・・・の何れかが受側端子４２と接触する。
つまり、挿入物２０の種類により揺動側端子４１ａ・４１ｂ・・・と受側端子４２がＯＮ（導通）する組み合わせが異なるようにスイッチ部を構成している。この接触した、或いは、非接触した揺動側端子を中央演算装置３０が認識して、その挿入物２０の種類に合致するプログラムが実行される。
本実施例においては、絵やゲーム等のデータを読み込み表示装置３１により表示する。
このデータは図示しないＲＯＭやＲＡＭ等に記憶され、それぞれアドレス等が割り当てられ、揺動側端子４１ａ・４１ｂ・・・のいずれかと受側端子４２とが接触する組み合わせが、前記アドレスと一致するようにしている。具体的には、図１における挿入物２０'の場合は、揺動側端子４１ｄ・４１ｅ・４１ｆと受側端子４２が接触し、その組み合わせに合致した絵やゲームが表示装置（ＬＣＤ）３１に表示されるのである。
【００２９】
図２の実施例においては、本発明のスイッチ構造を有するコネクタをプリンタケーブル（メーカー）の判別に適用している。つまり、コネクタ３４本体にはコネクタ挿入穴３４ａを設けてプリンタケーブル端に設けた挿入物（コネクタ）２１を挿入できるようにし、該コネクタ３４には端子４３ａ・４３ｂ・・・、スイッチ部を構成する揺動側端子４４ａ・４４ｂ・４４ｃと受側端子４５が設けられ、それぞれコンピューター等の制御部と接続されている。一方、該コネクタ３４に接続する挿入物２１には制御用やデータ用の端子２２ａ・２２ｂ・・・・とメーカーごとに異なるように割り当てられた開口２１ａ・２１ｂ・・・が設けられ、該端子２２ａ・２２ｂ・・・・はプリンタ本体の制御部と接続されている。
このような構成において、コネクタ３４に挿入物２１を挿入するだけで、スイッチ部における揺動側端子４４ａ・４４ｂ・４４ｃの何れかと受側端子４５が接触することにより、制御部はその組み合わせに合致するメーカーを判断し、そのメーカーのデータを読み込み自動でドライバを設定できるようにしている。
【００３０】
図３は、第３の実施例として簡易血糖値測定装置において、本発明のスイッチ構造を有するコネクタを使用した実施例を示した図面であり、図４は、図３の簡易血糖値測定装置に挿入する挿入物としてのバイオセンサ２３を図示している。簡易血糖値測定装置は、糖尿病患者が常時持ち歩いて、簡易的に血糖値を検査し、インスリンの投与の必要があるかをどうかまたは低血糖症状となっていないか等を検査することの出来る装置である。
【００３１】
体液中の特定成分、例えば血液中のグルコースの濃度を測定する一般的な方法としては、酸化還元酵素を触媒とした酸化還元反応を利用したものが存在する。その一方で、自宅や出先等で簡易的に血糖値の測定が行えるように、掌に収まるようなサイズの簡易血糖値測定装置が汎用化されている。この簡易血糖値測定装置では、酸化反応場を提供すると共に、使い捨てとして構成されたバイオセンサを装着した上で、このバイオセンサに血液を供給することにより血糖値の測定が行われるのである。
個々のバイオセンサは、センサ感度が同一とは限らず、例えば材料の変更や製造ラインの設計変更などに起因して、センサ感度がバラツクのである。
特に製造ラインの立ち上げ初期においては、製造ラインで諸条件の最適化や好適な材料の選択等を行う必要があるために、センサ感度にバラツキが発生しやすいのである
【００３２】
また、複数の工場でバイオセンサを製造する場合や、同一工場において複数の製造ラインでバイオセンサを製造する場合には、工場間や製造ライン間で、センサ感度にバラツキが発生する場合が存在するのである。
一方、簡易血糖値測定装置においては、センサ感度の相違を考慮して、予め複数の検量線を準備していることがある。その他に、血糖値やコレステロール値等の複数項目を測定出来るように、構成された測定装置においても、個々の測定項目において複数の検量線を準備しておく必要がある。
これらの場合には、バイオセンサや測定項目に適合する検量線の情報を何らかの形で、測定装置に認識させる必要がある。
【００３３】
簡易血糖値測定装置Ａの内部は、挿入物としてのバイオセンサ２３を挿入できるように構成されており、該バイオセンサ２３に糖尿病患者の指から血液を滴下させ、該血液より血糖値を演算するようにしている。
即ち、挿入物としてのバイオセンサ２３は、絶縁性の基板の上にスクリーン印刷等の方法でカーボンからなる電極系を形成し、絶縁層を設けた後に、電極系の上を酸化還元酵素と電子受容体を担持した多孔体で覆い、保持枠とカバーで全体を一体化したものである。
試料液を多孔体上の試料供給孔９に滴下すると、多孔体に担持されている酸化還元酵素と電子受容体が試料液に溶解し、試料液中の基質との間で酵素反応が進行し、電子受容体が還元される。反応終了後、この還元された電子受容体を電気化学的に酸化し、このとき得られる酸化電流値から試料溶液中の基質濃度を求めることが出来るのである。
【００３４】
簡易血糖値測定装置中には、前記酸化電流値を測定する電流値測定部１３と、電圧印加部１２と、演算部１８と、記憶部１４と、その他に、挿入物としてのバイオセンサ２３のロット毎の検量線相違を選択検知する検量線選択部１５と、この検量線の検知部１６と、これにより電圧印加量を制御する制御部１７等が設けられている。
【００３５】
本発明においては、この検量線選択部１５において、本発明のスイッチ構造を有する端子２４が設けられているのである。
該端子２４は、挿入物としてのバイオセンサ２３の先端に嵌合開口２３ａ・２３ｂ・２３ｃを形成し、該嵌合開口２３ａ・２３ｂ・２３ｃを介して揺動側端子２４ｂ・２４ｃが受側端子に接触するかしないかにより、該挿入物としてのバイオセンサ２３のロットの検量線を選択するのである。なお、端子２３ｄ・２３ｅ・２４ａ・２４ｄは電源側の端子である。
上述のように、コネクタにスイッチ部を設け、該スイッチ部を一つ或いは複数の揺動側端子と、受側端子により構成し、嵌合開口を有する挿入物をコネクタ挿入穴より挿入して、各揺動側端子と受側端子が嵌合開口を介して接触導通、或いは、開口なしの部分で非接触とすることで、その接触と非接触の組み合わせにより挿入物を識別できるようにする構成において、本発明はスイッチ部において、摺動接触部で発生する削りかすや異物等で接触部が非導通とならないように構成している。
【００３６】
即ち、本発明のコネクタにおけるスイッチ部の構造について、第１実施例の構造を図５により説明する。
スイッチ部は、挿入物５３の挿入により上下方向に揺動する揺動側端子５１と、通常は揺動側端子５１と接触状態となっている受側端子５２よりなり、上下略平行にコネクタ本体より突出されている。該揺動側端子５１はバネ鋼等の導電性を有し、かつ、弾性を有する部材で構成され、該揺動側端子５１の基端側はコネクタ本体に固定され、配線によって制御部（または電気機器）と接続されている。該揺動側端子５１の先端部には尖鋭部５ｌａを形成しており、該尖鋭部５１ａの側面には挿入ガイド用の傾斜部５１ｂと引抜きガイド用の傾斜部５１ｃが形成されて、本実施例では、揺動側端子５１の先端を断面視Ｖ字状に折り曲げ加工により形成している。該尖鋭部５１ａは挿入物５３に開口した嵌合開口５３ａ内を貫通できる大きさとしている。言い換えれば、嵌合開口５３ａは尖鋭部５１ａの下部が貫通できる大きさに開口している。但し、前記傾斜部５１ｂと傾斜部５１ｃは曲面で構成することもできる。
【００３７】
また、前記受側端子５２は揺動側端子５１の下方に配置され、導電性を有するバネ鋼等で構成され、基端部はコネクタ本体に固定され、制御部（または電気機器）と接続されている。先端部は、下方へ断面視「へ」字状に折り曲げて接触部５２ａを形成している。該接触部５２ａの傾斜角は、前記傾斜部５１ｃの傾斜角と略同じ傾斜角としている。更に該接触部５２ａ上に凸部５２ｂを形成して角度が変化しても接触できるようにしている。なお、該凸部５２ｂは断面視半円状に構成しているが、三角形等にしてもよく、形状は限定するものではない。また、該凸部５２ｂはなくても良い。
そして、通常は揺動側端子５１の尖鋭部５１ａの後側面が受側端子５２の凸部５２ｂ（または接触部５２ａ）と接触すべく構成して、接触導通部としている。つまり、揺動側端子５１と受側端子５２の接触導通部は尖鋭部５１ａ下端以外の位置の傾斜部（側面）で接触するようにしている。なお、挿入ガイド用の傾斜部５１ｂと凸部５２ｂが接触する構成とすることも可能である。
【００３８】
このような構成により、挿入物５３をコネクタの挿入穴に挿入すると、挿入物５３の先端が揺動側端子５１の挿入ガイド用の傾斜部５１ｂに当たり尖鋭部５１ａを押し上げながら挿入し、該尖鋭部５１ａが持ち上げられて更に、挿入物５３を押し込むと、尖鋭部５１ａ下端は挿入物５３の上面を滑り、嵌合開口５３ａに至ると、嵌合開口５３ａ内に入り尖鋭部５１ａは下降して、引抜きガイド用の傾斜部５１ｃと受側端子５２の凸部５２ｂが接触する。つまり、揺動側端子５１と受側端子５２は導通し、スイッチ部はＯＮとなる。
【００３９】
このとき、揺動側端子５１の尖鋭部５１ａと受側端子５２の接触導通する位置が傾斜した側面であるので、尖鋭部５１ａが挿入物５３上を摺動することにより削りかすや、挿入物上の異物が尖鋭部５１ａ下端に付着しても、嵌合開口５３ａより落下して、接触導通部はきれいな状態となり、揺動側端子５１と受側端子５２との間の接触不良が生じることはない。
更に、側面の傾斜部で接触する構成としているため、例え異物が堆積しようとしても、滑り落ち、挿入物５３を出し入れする時の衝撃で堆積物は落下し、両者の間の接触面はきれいに保つことができるのである。
なお、挿入物５３の挿入時において、揺動側端子５１の尖鋭部５１ａの位置に嵌合開口５３ａが開口されていない場合は、尖鋭部５１ａは挿入物５３上に持ち上げられたままとなり、受側端子５２と接触しない位置に保たれ、導通しない。つまりスイッチ部はＯＦＦとなる。
【００４０】
次に、図６において本発明のスイッチ構造の第二実施例を説明する。
スイッチ部は、揺動側端子５１と受側端子５６よりなり、該揺動側端子５１は前記第一実施例と同様に構成されている。受側端子５６は鋼板等導電性のプレートにより構成され、揺動側端子５１と対向して下方に配置されている。該受側端子５６の基端側が制御部（電気機器）と接続され、先端部には揺動側端子５１の尖鋭部５１ａの位置に合わせて嵌合孔５６ａが開口されている。そして、通常は尖鋭部５１ａの下部が嵌合孔５６ａ内に一部挿入されて、尖鋭部５１ａの挿入ガイド用の傾斜部５１ｂと引抜きガイド用の傾斜部５１ｃが嵌合孔５６ａ上部内周縁と接触している。
【００４１】
このような構成において、挿入物５３をコネクタ挿入穴に挿入すると、前記同様に尖鋭部５１ａを持ち上げて、更に挿入することで尖鋭部５１ａは嵌合開口５３ａに嵌入する。
このとき、尖鋭部５１ａ下部は受側端子５６の嵌合孔５６ａにも嵌入し、受側端子５６と接触して導通し、スイッチはＯＮとなる。そして、尖鋭部５１ａ下端と挿入物５３の摺動により削りかす等が生じて付着したり、受側端子５６上に堆積しても、尖鋭部５１ａの側面である傾斜部５１ｂ・５１ｃと嵌合孔５６ａ上部内周縁とが接触するため、両者が擦れることにより付着物は除去され、異物は嵌合孔５６ａより落下することになり、ＯＮするときには揺動側端子５１と受側端子５６との接触導通部は常に導通状態とすることができるのである。
【００４２】
次に、図７において第三実施例を説明する。
スイッチ部は、揺動側端子５４と受側端子５５よりなり、該揺動側端子５４はバネ鋼等の導電性を有し、かつ、弾性を有する部材で構成されている。該揺動側端子５４の基端側はコネクタ本体に固定され、制御部（電気機器）と接続されている。該揺動側端子５４の先端部には前記揺動側端子５１と同様に尖鋭部５４ａが形成されており、該尖鋭部５４ａから離れた基部側であって、挿入物５３と干渉しない位置の下面（受側端子５５との対向面）に凸部５４ｂを下方に突出して設けている。
前記受側端子５５は基端部がコネクタ本体に固定されて制御部（電気機器）と接続され、先端部は揺動側端子５４の中途部、つまり、尖鋭部５４ａから離れた前記凸部５４ｂ下方まで延設し、該先端部上に上方へ突出する凸部５５ａを構成している。該凸部５５ａ・５４ｂは導電部材により構成され、通常は接触状態となっている。但し、凸部５４ｂ・５５ａのいずれか一方を省く構成とすることもでき、また、凸部５４ｂ・５５ａを設ける代わりに曲げにより構成することもできる。
【００４３】
このように構成することにより、挿入物５３をコネクタ挿入穴よりスイッチ部に挿入した場合、尖鋭部５４ａは挿入物５３の先端部に当接して持ち上げられ、挿入物５３上面を摺動して、嵌合開口５３ａ内に挿入する。このとき、揺動側端子５４と受側端子５５が接触し、この導通接触する凸部５４ｂ・５５ａは尖鋭部５４ａから離れた位置にあるので、つまり、揺動側端子５４と挿入物５３との接触部分と揺動側端子５４と受側端子５５の接触導通部は異なる位置に配置されているので、接触導通部は尖鋭部５４ａと挿入物５３との接触により生じる削りかすや異物の影響を受けることがなく、確実に揺動側端子５４と受側端子５５を接触導通させることができるのである。但し、挿入物５３に嵌合開口５３ａが設けられてない部分おいてはＯＦＦとなっている。
【００４４】
次に、第四実施例を図８より説明する。
この第四実施例におけるスイッチ部は前記第三実施例と形状は略同じであり、尖鋭部５４ａの部分を非導電体で構成した点が異なる。
つまり、揺動側端子５４の先端部に非導電尖鋭部５４ｃが一体的に形成され、揺動側端子５４の中途部下面に凸部５４ｂを形成している。該凸部５４ｂに対向して受側端子５５の上面に凸部５５ａを構成している。但し、前記非導電尖鋭部５４ｃのように、非導電体で一体的に構成する代わりに、尖鋭部５４ａの挿入物５３と接触する部分に非導電部材を貼設したり、コーティングしたりすることもできる。
このように、尖鋭部の部分を非導電尖鋭部５４ｃとすることにより、挿入物５３に静電気が帯電している状態でコネクタに挿入しても、挿入物５３と接触する非導電尖鋭部５４ｃへは電流が流れないため、揺動側端子５４に接続される制御部等に高電圧が流れることを防止し、制御部や電気機器等が破損することを防止できるのである。なお、挿入される挿入物５３を導電体で構成することで、静電気の発生を防止することができるが、挿入物５３は安価に構成するため合成樹脂等で構成され、静電気が発生しやすいのである。
【００４５】
また、前記尖鋭部５１ａ・５４ａの形状はＶ字状に限定するものではなく、図９に示すように、揺動側端子５７は略逆Ｖ字状に構成して上部湾曲部５７ａと下部湾曲部５７ｂを有する構成とすることもできる。
即ち、尖鋭部の下部、つまり、嵌合開口５３ａに挿入する側が次第に細くまたは小さくなる尖状として、挿入物５３を挿抜するときに引っ掛からずスムースに摺動して揺動側端子５７を持ち上げるような傾斜部を有し、かつ、スイッチ部がＯＮする時において、下端部が嵌合開口５３ａ内を貫通して受側端子と接触できる構成であればよい。
但し、前記揺動側端子５７と受側端子は上下逆に配置する構成としてもよい。
【００４６】
図１４においては、本発明の他の実施例を説明する。
該図１４に示す実施例においては、揺動側端子６０と受側端子６１の形状が、図５の構成と相違した実施例を図示している。
図５の実施例の場合には、挿入される挿入物５３の上方へ、揺動側端子５１が回動される構成であるが、図１４の場合には、挿入される挿入物５３に対して揺動側端子６０が下方へ回動して回避する構成としている。
図５の実施例の場合には、揺動側端子５１の下方へ略Ｖ字状に先鋭部５１ａを構成して、該先鋭部５１ａが挿入物５３の上面に当接摺動すべく構成している。
これに対して図１４においては、揺動側端子６０の上方へ略逆Ｖ字状に尖鋭部６０ａを構成して、該尖鋭部６０ａが挿入物５３の下面に接当摺動すべく構成している。
更に、尖鋭部６０ａから下方へ、くの字型部を構成し、該くの字型部の受側端子６１側の面に突起部を形成して、接触導通部である凸部６０ｂに構成している。該接触導通部である凸部６０ｂは、受側端子６１の先端の上方折曲部６１ａの接触導通部と接当して、通電する接触導通部に構成している。
【００４７】
即ち接触伝導部である凸部６０ｂが、揺動側端子６０の側に構成されて、上方を向いた位置に配置されており、接触伝導部である凸部６０ｂと上方折曲部６１ａとが導通状態で、受側端子６１と揺動側端子６０が閉鎖回路状に構成されていることが特徴である。
図１４において、第一段階で挿入物５３を挿入する前においては、揺動側端子６０と受側端子６１の弾性力で、揺動側端子６０の接触伝導部である凸部６０ｂと、受側端子６１の上方折曲部６１ａとが接触した状態となっている。
第二段階においては、挿入物５３が挿入されて、揺動側端子６０の尖鋭部６０ａに接当し、揺動側端子６０を押し下げ、接触伝導部である凸部６０ｂと上方折曲部６１ａとの接触状態が解消される。
第三段階においては、更に挿入物５３が押し込まれて、尖鋭部６０ａが、挿入物５３の嵌合開口５３ａの部分に到達して、揺動側端子６０が弾性力により上昇回動を開始する。
第四段階においては、揺動側端子６０の尖鋭部６０ａが、嵌合開口５３ａの内部で上昇して、再度、接触伝導部である凸部６０ｂと上方折曲部６１ａとが接触状態に復帰する。
【産業上の利用可能性】
【００４８】
コネクタ内への挿入物の挿入頻度が多いため、あるいは、コネクタ周辺の大気が汚れているために、挿入による削りかすや異物等による不導通が発生しやすい用途、例えば、製造業現場におけるプロセス制御装置や、屋外の各種システム等にも適用できる。
【図１】
0004773205.tif 000002
【図２】
0004773205.tif 000003
【図３】
0004773205.tif 000004
【図４】
0004773205.tif 000005
【図５】
0004773205.tif 000006
【図６】
0004773205.tif 000007
【図７】
0004773205.tif 000008
【図８】
0004773205.tif 000009
【図９】
0004773205.tif 000010
【図１０】
0004773205.tif 000011
【図１１】
0004773205.tif 000012
【図１２】
0004773205.tif 000013
【図１３】
0004773205.tif 000014
【図１４】
0004773205.tif 000015